(57)【要約】【課題】化粧室の平面ミラーに凹面ミラーを簡単かつスペースをとることなく付設可能にした化粧室ミラーを提供する。【解決手段】平面状透明板１の片側表面に、径が順次段階的に変化する多数の環状溝４を同心状に形成した凸レンズ型フレネルレンズを形成すると共に、前記環状溝４に金属反射膜５を被覆することにより上記片側表面と反対側の表面にフレネル型凹面ミラー２を形成し、該フレネル型凹面ミラー２を化粧室の平面ミラー１に貼り付けるようにしたものである。【選択図】    図１
2004321565.tif 000002
【特許請求の範囲】
【請求項１】
平面状透明板の片側表面に、径が順次段階的に変化する多数の環状溝を同心状に形成した凸レンズ型フレネルレンズを形成すると共に、前記環状溝に金属反射膜を被覆して上記片側表面と反対側の表面にフレネル型凹面ミラーを形成し、該フレネル型凹面ミラーを化粧室の平面ミラーに貼り付けたことを特徴とする化粧室ミラー。
【請求項２】
前記透明板が透明プラスチックからなる請求項１に記載の化粧室ミラー。
【請求項３】
前記透明板の外周エッジ部を遮光層で被覆した請求項１又は２に記載の化粧室ミラー。
【請求項４】
前記フレネル型凹面ミラーの背面に金属薄板を配置した請求項１、２又は３に記載の化粧室ミラー。
【請求項５】
前記化粧室が航空機に設けられたものである請求項１〜４のいずれかに記載の化粧室ミラー。
【請求項６】
前記化粧室が鉄道列車に設けられたものである請求項１〜４のいずれかに記載のの化粧室ミラー。
【発明の詳細な説明】
【０００１】
【発明が属する技術分野】
本発明は化粧室ミラーに関し、さらに詳しくは、航空機や鉄道列車等に設置されている化粧室の平面ミラーに簡単に凹面ミラーを付設可能にした化粧室ミラーに関する。
【０００２】
【従来の技術】
一般に旅客航空機の化粧室（ラバトリー）には平面ミラーが設けられている。上級クラスの客室に設けられた化粧室では、平面ミラーを三面鏡にしたものがあり、さらに一部の上級クラスの客室には、三面鏡の平面ミラーの一部に小型凹面鏡を付設して、ヒゲソリなどに便利にしたものがある。
【０００３】
上記のように小型凹面鏡が付設してあると、利用者にとって便利であることから、更に普及させようとする動きがある。しかし、凹面鏡は球面の一部を構成し、それ自体が立体構造であるため、これを化粧台の平面ミラーに取り付けるためには、平面ミラーの背面に奥行きのあるスペースをもったものでなければ取り付けることはできない。すなわち、図５に示すように、凹面鏡２０の球面を受け入れる深さＤの奥行きスペースを持った構造の平面ミラーでなければならないという制約がある。かつ、凹面鏡２０を装着するため、平面ミラー１０に装着用の嵌合穴３０を切削加工しなければならないという問題もあった。
【０００４】
したがって、これらの問題から、既存の旅客航空機の化粧室の平面ミラーに小型凹面鏡を取り付けることは簡単ではなかった。
【０００５】
【発明が解決しようとする課題】
本発明の目的は、上述した従来の問題を解消し、化粧室の平面ミラーに凹面ミラーを簡単かつスペースをとることなく付設可能にする化粧室ミラーを提供することにある。
【０００６】
【課題を解決するための手段】
上記目的を達成する本発明の化粧室ミラーは、平面状透明板の片側表面に、径が順次段階的に変化する多数の環状溝を同心状に形成した凸レンズ型フレネルレンズを形成すると共に、前記環状溝に金属反射膜を被覆して上記片側表面と反対側の表面にフレネル型凹面ミラーを形成し、該フレネル型凹面ミラーを化粧室の平面ミラーに貼り付けたことを特徴とすることを特徴とするものである。
【０００７】
このように平面状透明板を凸レンズ型フレネルレンズに形成し、これに金属反射膜を施した平面状のフレネル型凹面ミラーとして、化粧室の平面ミラーに貼り付けるようにしたので、被貼付け側である化粧室の平面ミラーの構造を特に奥行き深さを持ったものだけに限定されることがなく、また凹面ミラーを付設するとき平面ミラーに装着用の穴加工をすることなく、そのまま簡単に貼り付けることができる。
【０００８】
【発明の実施の形態】
以下、本発明を図に示す実施形態を参照して説明する。
【０００９】
図１は、本発明の化粧室ミラーを例示したものである。
【００１０】
平面ミラー１は化粧台（図示せず）の上方にセットされ、かつセンターミラー１ｃと左右一対のサイドミラー１ｓ，１ｓとを組み合わせた三面鏡として構成されている。さらに、各サイドミラー１ｓの下部には、以下に詳細を述べる構造を有するフレネル型凹面ミラー２が貼り付けられている。
【００１１】
図２及び図３は、上記フレネル型凹面ミラー２の基本構造を示し、このフレネル型凹面ミラー２は平面状の透明板３と金属反射膜５から構成されている。透明板３の片側表面には、順次段階的に外径が変化した多数の環状溝４が、図３に示すように同心状に形成されている。これら多数の環状溝４は、図５に示すような凹面鏡２０が、共通の中心軸を中心に順次半径を異ならせて輪切りにされた環状体に相当しており、これらの環状溝４が平面状に並べ替えられた構成になっている。したがって、各環状溝４の表面は透明板３の面方向に対して傾斜し、センターＯから遠い位置にある環状溝ほど順次傾斜角が大きくなり、所謂凸レンズ型フレネルレンズを形成している。
【００１２】
さらに、上記凸レンズ型フレネルレンズの環状溝４の表面には金属反射膜５が被覆され、これを金属反射膜５と反対の透明板３側（図２の上面側）から見ると、フレネル型凹面ミラー２を構成している。すなわち、このフレネル型凹面ミラー２に、透明板３側の上方から光Ｌを垂直に入射させると、これら入射光Ｌの反射角θがセンターＯから遠い位置の環状溝４の金属反射膜５を反射したものほど大きくなり、図５の凹面鏡２０と同じ機能を有している。
【００１３】
また、上記凹面鏡として機能するフレネル型凹面ミラー２は、その外周エッジに遮光層１１を設けている。すなわち、透明板３の外周エッジ部に遮光層１１を設け、外周エッジから入射する光を遮断するようにしている。この遮光層１１を設けていないと、外周エッジからの入射光が正面から入射した光の反射光と干渉することにより、凹面ミラー２の周辺部の映像がぼける眩光現象を生ずることがあるが、上記遮光層１１を設けたことにより、この眩光現象を防止することができる。この遮光層１１は、非透光性塗料などを塗布することにより形成することができる。
【００１４】
本発明の化粧室ミラーは、上記のようなフレネル型凹面ミラー２を化粧室の平面ミラー１の表面に貼り付けるように構成されている。図４は、このようにフレネル型凹面ミラー２を貼り付けるため、金属反射膜５の表面に接着部を設けた場合の構成を示す。この接着部は、フレネル型凹面ミラー２の背面側に接着層６を介して金属薄板７を挿入し、さらに別の接着層８を介し離型紙９を貼り付けて構成されている。金属薄板７はフレネル型凹面ミラー２を難燃性にするために設けた材料であり、特に航空機のように難燃性が要求される化粧室の平面ミラーに貼り付ける場合に有用である。
【００１５】
金属薄板７は軽金属が好ましく、特にアルミニウム、スズなどがよい。また、接着層６、８としては、接着剤又は粘着剤を単層として設けてもよいが、両面接着テープを使用するようにしてもよい。すなわち、支持テープを挟んで両面に接着剤又は粘着剤を塗布した両面接着テープを使用するようにしてもよい。
【００１６】
上記フレネル型凹面ミラー２を化粧室の平面ミラー１に貼り付けるときは、裏面の離型紙９を剥がして接着層８を露出させ、この接着層８を介して平面ミラー１の表面に貼着すればよい。このように単にフレネル型凹面ミラー２を接着層８により貼り付けるだけでよいので、被接着側の平面ミラー１は、図５に示したように奥行きスペースを持った箱状のものに限定されることなく、薄板状の奥行きのない平面ミラーにも取り付け可能になる。さらに、フレネル型凹面ミラー２自体が平面状であるので、取り付け後において特に大きなスペースを占めることもない。
【００１７】
また、フレネル型凹面ミラー２の取り付け位置は任意に選ぶことができる。例えば、図１に例示するように、上下一対のフレネル型凹面ミラー２，２を貼り付けると、下部側のフレネル型凹面ミラー２は身長の低い人用として、また上部側のフレネル型凹面ミラー２は身長の高い人用として便利にすることができる。
【００１８】
本発明において、フレネル型凹面ミラーに使用される透明板は透明な材料であれば特に限定されない。好ましくは、軽量性や加工のしやすさ等から、透明プラスチックを使用するのがよい。透明プラスチックとしては、例えば、ポリカーボネート、ポリアクリル、ポリスチレンなどが使用可能である。金属反射膜の金属材料は軽金属が好ましい。特に、アルミニウム、スズなどを使用するとよい。これらの金属は、真空蒸着或いは電解メッキなどにより透明板の環状溝に膜状に被覆させることができる。
【００１９】
また、環状溝のピッチは、図に示した模式図では理解を容易にするため粗いピッチで示したが、実際には０．１〜０．５ｍｍ、好ましくは０．１〜０．３ｍｍの間隔にするのがよい。
【００２０】
また、図の実施形態では、フレネル型凹面ミラーの平面視形状が円形である場合についてだけ説明したが、本発明のフレネル型凹面ミラーとしては、図３に鎖線で囲んだ四角形のＡやＢ、三角形や五角形以上の多角形、楕円形など色々な形状にすることができる。従来の凹面鏡の場合には、円形以外の形状にすると、外周部に同一平面に接しない隙間を形成する部分ができるため、円形以外の形状にすることはできないが、上記フレネル型凹面ミラーは全体が平面であるため、どのような平面視形状にしても隙間を生ずることはない。
【００２１】
本発明に使用されるフレネル型凹面ミラーは、航空機等の化粧室に設けられた平面ミラーにヒゲソリ用などとして追加付設するのに有用であるが、このように後付けする場合だけに限定されず、新規に設置する化粧室にも適用可能なことは勿論である。また、航空機用だけに限定されず、鉄道列車、遠距離バスなどの化粧室、ホテル、旅館、レストラン、公共施設などの化粧室、一般家庭の化粧室などにも適用することができる。
【００２２】
【発明の効果】
上述したように本発明によれば、平面状透明板を凸レンズ型フレネルレンズに形成し、これに金属反射膜を施した平面状のフレネル型凹面ミラーとして、化粧室の平面ミラーに貼り付けるようにしたので、被貼付け側である化粧室の平面ミラーの構造を特に奥行き深さを持ったものだけに限定されることがなく、また凹面ミラーを付設するとき平面ミラーに装着用の穴加工をすることなく、そのまま簡単に貼り付けることができる。
【図面の簡単な説明】
【図１】本発明の実施形態からなる化粧室ミラーを示す斜視図である。
【図２】本発明に使用されるフレネル型凹面ミラーの縦断面図である。
【図３】図２のフレネル型凹面ミラーを下側から見た下面図である。
【図４】本発明に使用されるフレネル型凹面ミラーが平面ミラーに貼り付ける前の状態を示す縦断面図である。
【図５】従来の凹面鏡を例示した縦断面図である。
【符号の説明】
１  平面ミラー
２  フレネル型凹面ミラー
３  透明板
４  環状溝
５  金属反射層
６、８  接着層
７  金属薄板
１１  遮光層
【図１】
2004321565.tif 000003
【図２】
2004321565.tif 000004
【図３】
2004321565.tif 000005
【図４】
2004321565.tif 000006
【図５】
2004321565.tif 000007